(57)【特許請求の範囲】
【請求項１】
水平梁の上フランジに設置された定規鋼材の位置と、パネルの最下部に設置された受け鋼材の位置の２カ所でパネルがそれぞれ固着されて取り付けられる軽量気泡コンクリートパネルの壁パネルの取付構造であって、該パネル相互の縦目地間には、少なくとも水平梁の上フランジ近傍から、当該壁パネルの最上部近傍までフラットバーが設置され、該フラットバーは間接的に水平梁に固定され、更に当該壁パネルの最上部には、長手方向に所定の長さを有すると共に、該パネルの厚さに対応する幅を有して該パネルの上端に当接あるいは近接する略平面部と、該略平面部に直交して接続され、該パネルの表裏面に当接するツバ部を有する断面略コの字状のキャップが、隣接するパネル相互の上端部に跨って嵌合されて、該隣接する複数の壁パネルを一体的に係止するように構成され、該キャップは壁パネルの縦目地位置近傍で該パネルの厚さ方向の中央近傍位置に、略平面部にスリット状の穴あるいは切欠きが設けてあり、前記フラットバーの上端部が該スリット状の穴あるいは切欠きに通されて、該キャップと前記フラットバーが上方向から溶接固定されてなることを特徴とする壁パネルの取付構造
【請求項２】
水平梁の上フランジに設置された定規鋼材の位置と、パネルの最下部に設置された受け鋼材の位置の２カ所でパネルがそれぞれ固着されて取り付けられる軽量気泡コンクリートパネルの壁パネルの取付構造であって、該パネル相互の縦目地間には、少なくとも水平梁の上フランジ近傍から、当該壁パネルの最上部近傍までフラットバーが設置され、該フラットバーは間接的に水平梁に固定され、更に当該壁パネルの最上部には、長手方向に所定の長さを有すると共に、該パネルの厚さに対応する幅を有して該パネルの上端に当接あるいは近接する略平面部と、該略平面部に直交して接続され、該パネルの表裏面に当接するツバ部を有する断面略コの字状のキャップが、隣接するパネル間にまたがらせずにそれぞれのパネルの上面の端部に跨って嵌合され、隣接するパネル相互の縦目地に配置された前記フラットバーを挟んで隣接するパネルのそれぞれのキャップが前記フラットバーに溶接固定されてなることを特徴とする壁パネルの取付構造
【発明の詳細な説明】
【０００１】
【発明の属する技術分野】
本発明は、建築用壁パネルの取付構造に係り、特に乾式構法でベランダ部分を納める際に好適な壁パネルの取付構造に関するものである。
【０００２】
【従来の技術】
従来のベランダ壁の取付構造の例を説明する。図６に示す第１の従来例では、水平梁５１の上面に定規アングル５２が固定され、更に定規アングル５２に壁パネル５５の高さ寸法に対応して縦下地アングル５４が固定され、この縦下地アングル５４の下端に自重受け下地アングル５６が、上端に頭繋ぎ下地アングル５７が水平方向に併設される。自重受け下地アングル56及び頭繋ぎ下地アングル５７には所定のピッチでフックボルト５８が設けられ、このフックボルト５８を壁パネル５５の上端部と下端部に設けられた貫通穴５５ａに嵌入して図示しないナットをフックボルト５８に螺合して定着して固定する取付構造になっている。なお、ナットをフックボルト５８に螺合して定着して固定した後、壁パネル５５表面のフックボルト５８部の座掘孔を補修する。
【０００３】
また、図７の斜視図とその取付部の要部を示す図８に示す第２の従来例では、水平梁５１に対して鉛直方向下方に下地アングル６１が短いアングル５３を介して固定され、更に縦下地アングル６１に壁パネル６２の下端部を受けて支持する受けアングル６３が水平方向に配設される。また、水平梁５１には定規アングル５２が固定されており、受けアングル６３及び定規アングル５２には所定ピッチで取付金具６４及びボルト６４ａが設けられている。そして、この取付金具６４及びボルト６４ａを壁パネル６２の下端部と中間部に設けられた埋込ナット６２ａに嵌入螺合して定着して固定する。このように、第２の従来例では、水平梁の上フランジに設置された定規鋼材の位置と、パネルの最下部に設置された受け鋼材の位置の２カ所でパネルがそれぞれ固着されて取り付けられる壁パネルの取付構造ではあるが、パネルの上端側には金具等は使用されていない構造であった。
【０００４】
また、第３の従来例として、特開平６−３０７０４９号公報に示されたベランダ手摺壁パネルの取付構造がある。この取付構造の例を、図９に示す。この取付構造は梁５１に定規アングル５２及び下側アングル７１を固着し、これらのアングルに専用の垂直部材７２を溶接し、パネル７５を下側アングル７４と垂直部材７２の間に吊り込み、上端部に水平部材７３を配設して垂直部材７２に固着するというパネルの取付構造である。なお垂直部材７２には、あらかじめ、頂部に張り出し部７２ａが、中間部に懸架可能な突起７２ｂが設けられ、突起７２ｂにより定規アングル５２を介して梁５１に固定する構造となっていると共に前記の張り出し部７２ａにより水平部材７３を固定できる構造になっている。この取付構造では、パネルの頂部小口面に丸棒７６を挿通すると共に該丸棒７６を上端部に配設された長手方向に連続した水平部材７３に溶接することで、パネル７５を固定する構造になっている。
【０００５】
【発明が解決しようとする課題】
しかしながら、第１の従来例では、壁パネル５５は、壁最上部でフックボルト５８により取り付けているため、壁パネル５５の上部を取り付ける頭繋ぎ下地アングル５７を壁面全体の上部に通して設ける必要があり、この頭繋ぎ下地アングル５７を支える縦下地アングル５４の取付けも含めて、下地アングルの取付に手間を要する上、下地アングル全体をアングル材を用いるなどして、しっかりと構成する必要があった。また、パネル間の縦目地に縦下地アングル５４を通していたため、該パネルの内側に縦下地アングル５４のフランジ面が露出するため、防水仕上げの端部の納めが難しく、適正な納めのためには、ラスモルタルなどの仕上げ材によって仕上げを施した上、防水仕上げの端部を納める必要があるため、仕上げ厚が厚くなる上、ベランダ上部の笠木もそれに応じた幅の広い寸法のものを使用する必要がある取付構造あった。
【０００６】
さらに、第１の従来例の取付構造はパネルの取付にフックボルト５８を用いるため、座掘孔を補修モルタルで埋め、さらに座掘補修部をパネル表面と同様な状態に仕上げることが必要なため、作業は繁雑であり施工能率が悪かった。また、第２の従来例では、水平梁５１の上フランジ５１ａに固定した定規アングル５２に固定した取付金物６４の部位で壁パネル６２の高さ方向中間部を支持し、パネルの上端部は何ら金物類が存在しない構造であり、壁パネル６２の上部に水平力が作用した場合、てこの作用で、この取付金物６４の部分に大きな荷重がかかるため、取付金物６４の部分は強力な取付構造が要求され、この第２の従来例では壁パネル６２の内部に埋設された補強鉄筋に溶接接合された埋込ナットに取付けボルト６４ａを係合させるように構成している。
【０００７】
このように、取付部には、あらかじめ補強鉄筋に溶接固定された埋込ナットなどの金物を用いて、取付部を高強度の仕様にしておく必要があり、埋込ナットの位置はパネル内で固定され、施工現場で受けアングル６３の高さ位置が少しでも狂うと簡単には対応できないという問題点があった。また、壁パネル６２の上部小口面にそって、水平部材が設置されないため、壁パネル６２に反りがあった場合などには、壁パネル上部が面外にあばれ、不揃いになる可能性があった。そのため、壁パネルの縦目地間にモルタルを入れ固定してあるが、モルタルが硬化して隣接する壁パネル６２を拘束出来るようになるまで、何らかの仮止め手段により、隣接する壁パネル６２の面外の位置を仮固定しておく必要があった。
【０００８】
その上、上記した反り補正の意味だけではなく、第２の従来例では、壁パネルが相互に一体化されないために、壁に集中荷重が作用した場合に、その荷重を左右の隣接する壁パネルに分散負担させる目的で、壁パネル間の目地にモルタルを詰め、湿式構法とする必要があった。そのため、モルタル施工の手間が発生する上に、モルタルで現場や壁パネルを汚す可能性も高く、強度発現のためには、モルタルの硬化養生期間を置く必要があった。このように他の一般部分の軽量気泡コンクリート壁の施工が乾式構法によっている場合でも、ベランダ部分の施工のためにのみ、モルタルの混練および施工の必要が出るという問題もあった。
【０００９】
さらに、壁パネル６２は工場で製作される際に、あらかじめ前記埋込ナットの位置を設定する必要があり、建設現場での壁パネル６２の取付位置にズレが生じた場合、位置調整が困難である。また、工場で、埋込ナットを補強鉄筋の所定の位置に溶接固定などするため、パネル製作上、埋込ナットのない一般のパネルとは別の製造ラインでの製作を要するなどの手間が発生するという問題がある。
【００１０】
また、図８に示すように、壁パネル６２の裏面６２ａが定規アングル52の起立片に当接するように配置されるため、受けアングル６３の起立片が定規アングル５２の起立片に面一になるようにする必要があり、該受けアングル６３を支持する縦下地アングル６１を定規アングル５２に対して、接続部Ａにおいて線接触で固定しなければならず、縦下地アングル６１の位置決めが困難であると共に、溶接ビード長が十分に確保出来ないという問題点がある。
【００１１】
更には、縦下地アングル６１を定規アングル５２の下部に溶接する際の溶接作業の姿勢が上向き溶接となり、水平梁５１の下フランジ５１ｂが溶接作業者の視界を遮る位置にあるために、溶接作業中に溶接状態の確認が困難であり、熟練工による高い溶接技術が要求されるという問題点もある。次に、第３の従来例では、壁パネル７５の縦目地間に通す垂直部材７２が、あらかじめ工場などで張り出し部材７２ａや突起７２ｂを取付加工された専用の部品を用いる必要がある。そのため、現場ごと、場合によっては同一現場内でも場合によっては、ベランダ壁の高さや水平梁５１の高さ位置などが変わるのが一般的であるため、現場ごとに垂直部材７２の寸法などの仕様を変更し、場合によっては、同一現場内でも数種類の垂直部材７２を用意する必要がでてくる。このような理由により、専用部材としての垂直部材７２の規格化は困難であり、コストアップにもつながり現実的な取付構造ではない。
【００１２】
また、第３の従来例では、パネル７５の上端部に長手方向に連続した水平部材７３が配置され、該パネルの頂部小口面に設置された丸棒７６などの金物に該水平部材７３を固定することによってパネル７５を固定している。そのため、丸棒７６などの金物の取付け設置に手間を要する上、該水平部材７３を長さ方向に連続して設置する必要があるため、水平部材７３の設置および丸棒７６などの金物との取り付けが繁雑であり、施工能率にも問題があった。
【００１３】
【課題を解決するための手段】
本発明に係る第１の発明は、水平梁の上フランジに設置された定規鋼材の位置と、パネルの最下部に設置された受け鋼材の位置の２カ所でパネルがそれぞれ固着されて取り付けられる軽量気泡コンクリートパネルの壁パネルの取付構造であって、該パネル相互の縦目地間には、少なくとも水平梁の上フランジ近傍から、当該壁パネルの最上部近傍までフラットバーが設置され、該フラットバーは間接的に水平梁に固定され、更に当該壁パネルの最上部には、長手方向に所定の長さを有すると共に、該パネルの厚さに対応する幅を有して該パネルの上端に当接あるいは近接する略平面部と、該略平面部に直交して接続され、該パネルの表裏面に当接するツバ部を有する断面略コの字状のキャップが、隣接するパネル相互の上端部に跨って嵌合されて、該隣接する複数の壁パネルを一体的に係止するように構成され、該キャップは壁パネルの縦目地位置近傍で該パネルの厚さ方向の中央近傍位置に、略平面部にスリット状の穴あるいは切欠きが設けてあり、前記フラットバーの上端部が該スリット状の穴あるいは切欠きに通されて、該キャップと前記フラットバーが上方向から溶接固定されてなることを特徴とする壁パネルの取付構造である。
【００１４】
なお、この発明で、水平梁の上フランジに設置された定規鋼材の位置とパネルの最下部に設置された受け鋼材の位置の２カ所でパネルがそれぞれ固着されて取り付けられる取付構造とは、パネルを固定する為のボルト挿通孔等を有する取付金物が定規鋼材や受け鋼材に固着されている場合も含み、それ故、パネルの固着位置が定規鋼材や受け鋼材の少し上や下にずれている場合も含む構造である。
【００１５】
また、本発明で、フラットバーは、パネル相互の縦目地間に配され、少なくとも水平梁の上フランジ近傍から、当該壁パネルの最上部近傍までフラットバーが設置される。そして該フラットバーは、例えば図１に示すように梁１の上に固定された定規アングル２に固定された縦下地アングル４に固定される構造のように、間接的に水平梁に固定される。
【００１６】
更に、本発明では、壁パネルの最上部には、長手方向に所定の長さを有すると共に、該パネルの厚さに対応する幅を有して該パネルの上端に当接あるいは近接する略平面部と、該略平面部に直交して接続され、該パネルの表裏面に当接するツバ部を有する断面略コの字状のキャップが、隣接するパネル相互の上端部に跨って嵌合されて、該隣接する複数の壁パネルを一体的に係止するように構成され、また、前記フラットバーの上端部が前記キャップのスリット状の穴あるいは切欠きに通されて、前記キャップと前記フラットバーが上方向から溶接固定されている。このようにフラットバーを介して梁に間接的に固定されたキャップによりパネルは上端部でも固定されている。例えば、図１〜図３に示したように、壁パネル６の上部の縦目地位置で、壁パネル６の厚さ方向の中央に、断面略コの字型のキャップ１３にスリット１３ａが設けてあり、フラットバー１２の上端部が該スリット１３ａに通され、断面略コの字型のキャップ１３とフラットバー１２が上方向から溶接固定されている。
【００１７】
このように、本発明の第１の発明は、壁パネルの縦目地間に通す垂直部材を、汎用部材であるフラットバーを用いるため、部材のロスを少なく、かつ簡単に構成でき、コストダウンも可能である。また、壁パネルの厚みの中にフラットバーが収まっているため、内側の仕上げ工事を省力化することが可能である。
【００１８】
更に、フラットバーの上端部に断面略コの字型のキャップが隣接する相互のパネルに跨って固定されているため、集中荷重を左右の壁パネルに分散させる効果を持つと同時に、フラットバーにも有効に荷重伝達でき、定規鋼材の位置のパネル取付部に作用する荷重を低減出来る効果を持っており、かつ、壁パネル自体に反りなどがあった場合にも、面精度を左右のパネル間で確保するという効果も発揮する。
【００１９】
その上に、キャップをフラットバー以外の壁パネルの上部小口面に取り付ける作業の必要がない等の簡単に施工できる取付構造である。更に説明すると、本発明の第１の発明は、壁パネルの縦目地間に通す垂直部材として、予め工場などで加工された専用の垂直部材を用いることなく、汎用部材であるフラットバーを、例えば、定尺６メートル長さのフラットバーを現場に搬入し、適宜切断加工して用いることが出来るため、部材のロスを少なく、かつ簡単に縦目地間の垂直部材を構成することができ、コストダウンも可能である。また、キャップにあって、前記壁パネルの縦目地位置近傍で該パネルの厚さ方向の中央近傍位置に、略平面部にスリット状の穴あるいは切欠きが設け、前記フラットバーの上端部を該スリット状の穴あるいは切欠きに通し、キャップとフラットバーを上方向から溶接固定するので、壁パネル建て込み後、上から該キャップを被せ、次に、上方向から溶接するという単純な施工工程で作業ができるという更に好ましい効果を発揮する。即ち、フラットパーに上からキャップを被せる工程で、フラットバーの上面が露出し、上面からフラットバーとキャップとを溶接することができ、被せる工程と溶接工程だけの単純な作業によってキャップが固定できる。
【００２０】
また、本発明の第１の発明は、水平梁の上フランジ近傍から、当該壁最上部近傍まで、言い換えるならば、ベランダ壁パネルが床スラブから上部に立ち上がった部分に、縦目地に補強鋼材としてフラットバーを設置して補強してあるため、壁パネルの厚みの中にフラットバーを収めることが可能であり、そのため、内側に防水工事などの仕上げをする場合に、補強鋼材が該壁パネルの裏面に露出することがなくため、防水仕上げの端部を直接、該壁パネルの裏面に溝掘りをするなどして納めることが可能である。ひいては、内側の仕上げの厚みを無くするか、あるいは薄くすることができ、かつ、内側の仕上げ工事も省力化することが可能である。
【００２１】
この際に、防水納めの溝掘り寸法１０〜２０ｍｍの深さ位置にフラットバーがこないよう、該壁パネル相互の縦目地にあって、該壁パネルの裏面より１０〜２０ｍｍ以上離れた位置にフラットバーを設けるのがよい。例えば、該壁パネルの厚みが１００ｍｍであり、フラットバーの幅５０ｍｍのものを用い、該フラットバーをちょうど該壁パネルの厚さ方向の中央位置に設けた場合、該壁パネルの裏面より２５ｍｍ離れた位置にフラットバーが位置することになり好ましい。この場合には、フラットバーの位置は、該壁パネルの表面から２５ｍｍ離れており、表面側あるいは裏面側の縦目地にシーリングを打つ場合にも、シーリングの打設深さに不足はなく、好ましい。
【００２２】
また、当該壁の最上部には、壁パネルの厚さに対応する幅を有して壁パネルの上端に当接あるいは近接する略平面部と、該略平面部に直交して接続され、壁パネルの表裏面に当接するツバ部を有する断面略コの字状のキャップを、隣接するパネル相互の上端部に跨って嵌合させて、該隣接する複数の壁パネルを一体的に係止するように構成し、該キャップを前記したフラットバーに固着してあるため、縦目地にモルタルを入れる湿式構法によることなく、隣接する壁パネルを一体的に固定することができ、ベランダ壁の１カ所に集中的に荷重が作用した場合でも、その荷重を左右の隣り合う壁パネルに負担させることができる。
【００２３】
また、同時に、壁パネルに反りがあり、ベランダ上部で壁パネルが面外方向にあばれた場合にも、該キャップが隣接する壁パネルに跨って嵌合しているため、壁面の精度が出にくいということがない。その上、パネルの上端小口面にそって、連続して水平部材を配置する必要がなく、該パネルの頂部小口面に設置された丸棒などの固定金物を用いる必要もないため、固定金物の取付け設置に手間を要することもなく、水平部材を長さ方向に連続して設置する必要もないため、水平部材の設置および丸棒などの金物との取り付けなどの繁雑な作業がなく、能率的な施工が可能になる。
【００２４】
【００２５】
次に、軽量気泡コンクリートパネルの壁パネルを水平梁の上フランジに設置された定規鋼材の位置と、パネルの最下部に設置された受け鋼材の位置の２カ所でパネルをそれぞれ固着して取り付けるにあたって、パネルの長辺側面あるいは短辺小口面から、その面と垂直方向にあけられた穴の中に、棒状あるいは管状のパネル取付け用アンカー部材を差し込むことによりパネル内にパネル取付け用アンカー部材を内設するという方法で、定規鋼材の位置に取付けることもできる。即ち、室内側から該アンカー部材が存在する穴までボルトが通る穴を設け、該ボルトとアンカー部材を係合させ、このアンカー部材に係合されたボルトを利用してパネルを乾式で取付けることができる。
【００２６】
このようにすると、パネルの長辺側面あるいは短辺小口面から、取付用のアンカー部材を内設したものであるので、施工現場でパネルの長辺側面あるいは短辺小口面から取付用のアンカー部材取付用の穴をあけ、取付用のアンカー部材を内蔵することができる。このように施工現場での取付位置の変更にも対応できる上、壁パネルの製造に特別な手間をかけることもなく、かつ、現場で座掘孔などの補修も必要としないで水平梁の上フランジに設置された定規鋼材の位置と、パネルの最下部に設置された受け鋼材の位置の２カ所でパネルがそれぞれ固着されて取り付けられる。
【００２７】
また、パネルの最下部でパネルを固着して取り付ける為に、軽量気泡コンクリートパネルの壁パネル相互の縦目地間には、躯体の水平梁の上フランジ近傍から該壁パネルの最下部近傍まで、アングルが片側のフランジ面がパネルの縦目地間に位置するよう設置され、該アングルの該壁パネルの裏面に平行なフランジが近接する該壁パネルの少なくとも片側のパネルの裏面部分を、該アングルのフランジ厚と同寸法あるいはやや深い寸法で、切削加工してもよい。
【００２８】
このように、パネルの最下部でパネルを固着して取り付ける為に軽量気泡コンクリートパネル相互の縦目地間に、水平梁の上フランジ近傍から、該壁パネルの最下部近傍まで、アングルを片側のフランジが縦目地間に位置するよう設置し、このアングルの下端部には、図１に示すようにパネル下端を支える受けアングルを固定し、該受けアングルにパネル下端部用の取付金物を固着できるようにすることが最も好ましい。
【００２９】
尚、上記のように前記のアングルの壁パネルの裏面に平行なフランジが近接する該壁パネルの少なくとも片側のパネルの裏面部分を、該アングルのフランジ厚と同寸法あるいはやや深い寸法で切削加工する場合、。即ち、該アングルのパネルの裏面に平行なフランジが接することになるパネルの少なくとも裏面部分を、該アングルのフランジ厚と同厚あるいはやや深い寸法で、切削加工した構造とする場合に、図２に示すようにパネルの裏面に接するフランジが存在しないパネルの右側裏面は切削する必要が無く、図２に示すような場合は、パネルの左側の裏面が切削加工されておればよい。このように少なくとも片側のパネル裏面が切削加工されておればよい。
【００３０】
なお、図２に示すように、縦方向のアングルとフラットバーとを固定するために、両者を重ね合わせた構造とすると、図２に示したように、パネルの左側の側面が縦方向のアングルのフランジに接して、フラットバーに接しなくなる場合には、該フランジに接する裏面寄りのパネル側面を前記したようにアングルのフランジ厚と同寸法あるいはやや深い寸法で、切削加工することが特に好ましい更に、図２に示したように、パネルの右側の側面がフラットバーに接して縦方向のアングルに接しなくなる場合には、該フラットバーに接する裏面寄りのパネル側面を該フラットバーの厚みと同寸法あるいはやや深い寸法で、切削加工していることが特に好ましい。
【００３１】
いずれの場合も、切削加工部分の縦方向の長さを少し長めにすると,現場で施工する際にパネルを所定の位置に取り込み易くなるので好ましい。また、この場合、水平梁の上フランジ近傍から、該壁最下部近傍までにかけての部分も、汎用部材であるアングルを、現場において適宜切断加工して用いることが出来るため、部材のロスを少なく、かつ簡単に縦目地間の垂直部材を構成することができるので、部材のコストダウンをすることが可能である。
【００３２】
更に、この場合、パネル裏面を直接定規アングルと受けアングルに当てることにより、パネルの位置決めをすることが可能になり、更には、パネル裏面が縦方向のアングルに接することができることと相俟って、スペーサー等の余分な金物を使用する必要が無く、施工性もよくなり、取付強度の確実性も良くなるという効果を兼ね備えている。
【００３３】
【００３４】
【００３５】
次に、本発明の第２の発明は、水平梁の上フランジに設置された定規鋼材の位置と、パネルの最下部に設置された受け鋼材の位置の２カ所でパネルがそれぞれ固着されて取り付けられる軽量気泡コンクリートパネルの壁パネルの取付構造であって、該パネル相互の縦目地間には、少なくとも水平梁の上フランジ近傍から、当該壁パネルの最上部近傍までフラットバーが設置され、該フラットバーは間接的に水平梁に固定され、更に当該壁パネルの最上部には、長手方向に所定の長さを有すると共に、該パネルの厚さに対応する幅を有して該パネルの上端に当接あるいは近接する略平面部と、該略平面部に直交して接続され、該パネルの表裏面に当接するツバ部を有する断面略コの字状のキャップが、隣接するパネル間にまたがらせずにそれぞれのパネルの上面の端部に跨って嵌合され、隣接するパネル相互の縦目地に配置された前記フラットバーを挟んで隣接するパネルのそれぞれのキャップが前記フラットバーに溶接固定されてなることを特徴とする壁パネルの取付構造である。
【００３６】
例えば図４に示すように、断面略コの字状のキャップ１３が、コーナーで隣接する壁パネル６の間に跨らせずにそれぞれの壁パネル６の上面の端部に跨って嵌合され、隣接する壁パネル６相互の縦のコーナー目地に配置されたフラットバー１２を挟んで隣接する壁パネル６のそれぞれの断面略コの字状のキャップ１３がフラットバー１２に固着されることにより、コーナーで隣接する壁パネル６どうしを一体的に係止している。そのため、コーナー部分用に、断面略コの字状のキャップ１３を平面的に折れ曲がった形状に加工して用意する必要がなく、一般部に用いる平面的に折れ曲がっていない２つの断面略コの字状のキャップ１３を用いて止めることができるため、断面略コの字状のキャップ１３の品種を一般用とコーナー用の２種類設ける必要がなくなる。そのため、現場における断面略コの字状のキャップ１３の管理上も品種が少なくなり望ましい。なお、このように一般用の断面略コの字状のキャップ１３をコーナー部にも流用する使いかたをする場合に、断面略コの字状のキャップ１３にスリット１３ａが空いていても実質的には、全く問題ない。また、図９には示していないが、一般部にも、この方法を用いれば、スリット１３ａを断面略コの字状のキャップ１３に設ける必要がなくなるため、断面略コの字状のキャップ１３の加工製造コストを低く抑えることが可能となる。
この本発明の第２の発明は、略コの字状キャップにあって、スリット状の穴などの加工を不要とした金物１個あたりの加工手間を落とすことが可能な取付構法であり、一方のパネルの上側の端部寄りに１個のキャップ使用し、このパネルと隣り合うパネルの前記パネルの隣り合う箇所にも１個のキャップを使用することにより、１カ所の縦目地に２個のキャップを用いることによって隣り合うパネルを一体化させることが可能となる。
【００３７】
なお、この第２の発明は、一般部での効果以上に、コーナー部分など、縦目地を挟んで壁パネルが平面的に角度をもっている場合、特殊形状の略コの字状キャップを用意する必要がないという優れた効果を持つ。
【００３８】
【００３９】
なお、本発明は、断面略コの字状のキャップにあって、壁パネルの表裏面に当接するツバ部の高さ寸法は、ベランダ壁上部に取り付けられる笠木の見つけ寸法の中に収まるのが、防水上望ましい。そのため、市販されている笠木の寸法などを勘案すると、該ツバ部の高さ寸法は３０ｍｍ以下、２０〜２５ｍｍことが好ましい。しかし、笠木の納まり上問題がない場合やツバ部の高さ寸法が小さくとも強度上問題がない場合には、これ以外の寸法とすることができ、極端な場合には、ツバ部は面ではなく、棒状の部材で押さえることも可能である。
【００４０】
また、断面略コの字状のキャップが跨って嵌合されるパネル相互の上端小口面が上下に段差がある場合には、その高い方の壁パネルの部分を施工現場で削り平滑にしてから納めるのがよい。壁パネルは、軽量気泡コンクリートであり、現場でその部分を削るのにさほど困難はない。しかし、該キャップの長さが長くなると、削る作業も大変になるため、該キャップの長さは、４００ｍｍ以下、好ましくは２００ｍｍ（１００〜３００ｍｍ）がよい。
【００４１】
ただし、このベランダ壁の上部に金属製の手摺りの付いた笠木を取り付ける場合などには、笠木から大きな荷重を受ける可能性があり、壁パネル３枚以上にわたる長い断面略コの字状のキャップを用いたほうが、任意の位置で取り付けられた笠木からの荷重をフラットバーに伝達するのに好都合であり、笠木が連続しているほうが望ましい場合もある。しかし、この場合でも、断面略コの字状のキャップの長さは２００ｍｍ程度にしておき、さらにその上部に、規格定尺金物であるフラットバーを流して固定するのも有効である。
【００４２】
さらに、その取付部位置が、水平梁の上フランジに設置された定規鋼材に固着する位置と、該壁の最下部に設置された受け鋼材に固着する位置の２カ所であり、かつ、当該壁の最上部で、断面略コの字状のキャップに固定されたフラットバーが縦目地間に設置されているため、ベランダ壁が受ける荷重を、該２カ所の取付部のみで負担することなく、フラットバーにも力を配分して、負担することができる。そのため、壁パネル上部に水平部材を通す必要のない構法でありながら、ベランダ壁パネルの上部に水平力が作用した場合、てこの作用で、前記２カ所の取付部分に大きな荷重がかかるのを低減することが可能であり、該壁パネルの内部に埋設された補強鉄筋と接合された高強度の埋込金物を用いる必然性もなくなる。発明者は、この効果を確かめるために、いくつかの試験をおこなったが、その中から、この効果を単純に説明しうる載荷試験の結果２つを比較してここに示す。載荷方法は図５に示すように、ベランダ上部に水平力が裏面側から作用した場合で、フラットバーと断面略コの字状のキャップがない場合とある場合の効果が確認できる。幅６００ｍｍのパネル１枚当たりの破壊荷重は、ない場合が２４５２Ｎで、ある場合が３１１３Ｎとなっており、１．２７倍になっている。これは、壁パネルの断面２次モーメントが１１６５０ｃｍ4 、フラットバー（幅５０ｍｍ、厚さ６ｍｍ）の断面２次モーメントが６．２５ｃｍ4 であり、断面２次モーメントの合計値が、１．０００５倍にしかなっていないことを併せて考えると、フラットバーはその断面性能以上に有効に作用していると考えられる。そのため、フラットバーの厚みや幅を増加させることは、強度上、有効であると考えられ、また他の実験結果でもそのことが確認できる。
【００４３】
なお、ここでの試験では、壁パネルの仕様は、長さ１６３０ｍｍ、幅６００ｍｍ、厚さ１００ｍｍであり、断面略コの字状のキャップは、長さ１２０ｍｍ、幅の外寸法が１０５ｍｍ、幅の内法寸法が１００．４ｍｍ、ツバ部の高さが３０ｍｍ、肉厚が２．３ｍｍであった。このように、長さが１２０ｍｍという壁パネルの幅６００ｍｍに対して、その２０％程度の小さなキャップにおいても、有効に隣接する複数の壁パネルとフラットバーを一体化できる。実際への適用にあっては、設計強度の要求度に応じて、該キャップの長さや肉厚を適宜変更することが可能である。また、該キャップの長さや肉厚を増すことによって、ツバ部の高さを調整することもでき、壁パネル上部に納まる笠木の寸法内に収まるようにツバ部の高さを小さくすることも可能である。
【００４４】
また、本発明では、例えば図１〜図３に示すように、パネルの長辺側面あるいは短辺小口面から、その面と垂直方向に、棒状あるいは管状のパネル取付け用アンカー部材であるアンカー鋼棒７が、内設されている取付部によっており、あらかじめ工場でパネル内部の補強鉄筋と接合された高強度の埋込金物を用いる必要がない。これは、ベランダ壁が受ける荷重を、水平梁１の上フランジ１ａに設置された定規鋼材２に固着する位置と、該壁の最下部に設置された受け鋼材５に固着する位置の２カ所の取付部のみで負担することなく、キャップ１３を介してフラットバー１２にも力を配分して、負担することの効果として、達成されるものである。前述した試験結果では、該取付部仕様によっており、フラットバー１２を用いない場合のベランダ部の破壊荷重は、幅６００ｍｍのパネル１枚当たり２４５２Ｎになっている。一方では、人間工学的な判断によるベランダ部に作用する水平荷重設計値は、幅６００ｍｍのパネル１枚当たり１７６５Ｎであり、安全率を１．５としても（安全率をいくつに設定するかという点は設計者の判断すべき事項であるが）、要求される破壊荷重は２６４８Ｎ以上となり、該取付部仕様でフラットバー１２を用いない取付構法では、破壊荷重が要求される破壊荷重以下であるため、一般的には、安全性からみて問題がある。本発明では、以上に説明したように、本発明の第１の発明は、フラットバー１２を用いた荷重分担機構によることにより、ベランダ部の破壊荷重を高めることができる。
【００４５】
本発明では、水平梁１の上フランジ１ａに設置された定規鋼材２に固着する位置と、該壁の最下部に設置された受け鋼材５に固着する位置の２カ所に、パネルの長辺側面あるいは短辺小口面から、その面と垂直方向に、棒状あるいは管状のパネル取付け用アンカー部材であるアンカー鋼棒７が、内設されている簡易な取付部仕様によっても、ベランダ部の破壊に対する安全性の確保を成し遂げることができた。この方法によれば、建築現場で壁パネル６内部の所定の位置に取付け用アンカー部材であるアンカー鋼棒７を設置することが可能であり、あらかじめ工場で、パネル内部の補強鉄筋に対して高強度の埋込金物を取り付ける場合に比較して、壁パネル６の生産効率を上げることが可能であり、パネル製造コストも抑えることが可能である。また、建築現場で取付部位置に取付け用アンカー部材であるアンカー鋼棒７を設置するため、建築現場で水平梁１の取付高さにズレが生じた場合に高さ位置の調整が比較的容易に可能である。さらには、座掘孔の補修を必要とするフックボルト止めと違い、取付後の補修作業も不要な、施工性良好な乾式構法とすることが出来る。
【００４６】
尚、アンカー鋼棒７に、一端にアンカー鋼棒７の挿通孔を有するボルトであるＯボルト８に係合させ、パネルの室内側面（裏側）に突出した該Ｏボルト８に、水平梁１に図１等に示すように間接的に固定される取付金物１０を介し、ナットで固定されること等によりパネルが建物躯体に取り付けられる。また、前述のＯボルトの代わりに、一端にアンカー鋼棒７の挿通孔を有するナットを用いてボルトを該ナットに係合させることによってもパネルを取り付けることができる。
【００４７】
次に、本発明では、例えば図２に示したように、壁パネル６相互の縦目地間において、水平梁１の上フランジ１ａ近傍から該壁最下部である受けアングル５近傍まで、縦アングル４を片側のフランジである片４ｂが縦目地間に位置するよう設置し、該壁パネル６の裏面に平行な該縦アングル４の他のフランジである取付片４ａが近接する該壁パネル６の裏面部分６ａを、該縦アングル４のフランジである取付片４ａの厚さと同寸法あるいはやや深い寸法で、切削加工している。ここでの加工寸法は、一般に、幅が５０ｍｍ〜９０ｍｍ、板厚が６ｍｍの縦アングル４が使われることを考えると、裏面部分６ａの切削幅は４４〜１００ｍｍ程度であり、かつ、縦アングル４の板厚が一般に６ｍｍであることを考えると、裏面部分４ａの切削深さは６〜１５ｍｍ程度になる。また、このように、軽量気泡コンクリートの裏面部分６ａを、幅１００ｍｍ程度以下、深さ１０ｍｍ程度の切削加工を行うことは、加工工具を用いれば、容易に加工することが出来る。以上のような切削加工をしているため、該縦アングル４の該壁パネル６の裏面に平行なフランジである取付片４ａの面を、水平梁１の上フランジ１ａに設置された定規アングル２の起立面２ｂに面接触で固定しても、該取付片４ａを該壁パネル６の裏面部分６ａの中に収めた上、上フランジ１ａに設置された定規アングル２ｂと同一高さで、該壁パネル６の裏面で切削加工していない部分を、該定規アングル２の起立面２ｂに面接触させ該壁パネル６の面外方向の位置決めを確実にすることが可能であるという効果がある。
【００４８】
さらに、該縦アングル４を該定規アングル２の起立面２ｂに面接触で固定できるため、該縦アングル４の位置決めも確実にできる上、溶接固定する場合には、確実有効な溶接ビード長さを確保出来る上、建物の外部側から確実に溶接状態を確認しながらの溶接も可能になる。また、図３のように、フラットバー１２を該壁パネル６の最上部から最下部まで通して設置した場合には、水平梁１の上フランジ１ａに設置された定規アングル２の起立面２ｂなどと該フラットバー１２を繋ぐための特殊な取付金物１４が必要になり、好ましくない。特殊な取付金物１４を用いる代わりに、図示していない短い長さのアングル部材を用いることもできるが、この場合にも、一本のフラットバーに対して、水平梁１の上フランジ１ａ近傍、水平梁１の下フランジ１ｂ近傍、該壁最下部である受けアングル５近傍の３カ所に、短い長さのアングルを用いる必要があり、図２に示す縦アングル４を通して用いる方が位置決めがし易く、作業性も良いことを考えると、水平梁１の上フランジ１ａ近傍から該壁最下部である受けアングル５近傍まで縦アングル４を通す方が合理的である。
【００４９】
なお、施工手順上は、壁パネル６を建て込む前に、該フラットバーを該縦アングル４に溶接などで固定するほうが、溶接長さや位置を十分に確保することができ、強度を充分確保する上で望ましい。しかし、壁パネル６を建て込む前に、両サイドにフラットバー１２がついていると、隣接する壁パネル６の目地間に隙間が設けられていない場合には、該壁パネル６の施工性がやや阻害されるが、図２に示したように、縦アングル４とフラットバー１２とを固定するために、両者を重ね合わせた構造にしてあり、壁パネル６の左側の長辺側面が縦アングル４の片４ｂに接して、フラットバー１２には接しなく、縦アングル４の片４ｂに接する裏面寄りの壁パネル６の長辺側面部分６ｃを、縦アングル４の片４ｂの厚みと同寸法あるいはやや深い寸法で、切削加工していることが特に好ましい。
【００５０】
更に、壁パネル６の右側の側面がフラットバー１２ａに接して縦アングル４に接しないため、該フラットバー１２に接する裏面寄りの壁パネル６の長辺側面部分６ｂを該フラットバー１２ａの厚みと同寸法あるいはやや深い寸法で、切削加工していることが特に好ましい。このような切削加工を行うことにより、隣接する壁パネル６の目地間に隙間が設けられていない場合でも、施工のし易さを向上させることができる。また、いずれの場合も、切削加工部分６ａ，６ｂ，６ｃの縦方向の長さを少し長めにすると,現場で施工する際に壁パネル６を所定の位置に取り込み易くなるのでさらに好ましい。
【００５１】
一方、施工手順として、壁全体の強度仕様に余裕がある場合には、１枚の壁パネル６につき、該壁パネル６建て込み後に、右側のフラットバー１２ａを取り付ける施工手順を採ることにより、施工のスピードを上げることもできる。水平梁１の上フランジ１ａ近傍から該壁最下部である受けアングル５近傍まで、あらかじめ縦アングル４を通し、壁パネル６最下部に受けアングル５を通してあるため、１枚の壁パネル６につき、右側のフラットバー１２ａをあらかじめ取り付けていなくとも、該壁パネル６建て込みことが出来、その後に右側のフラットバー１２ａを取り付けることが可能である。一方、図３に示すように、壁パネル６の最上部から最下部までフラットバー１２を通して設置した場合には、壁パネル６の建て込み前にあらかじめ両サイドのフラットバー１２を設置し、壁パネル６最下部に受けアングル５を通してから、該パネルを建て込む必要がある施工スピードの上で不利である。このように、壁パネル６相互の縦目地間において、水平梁１の上フランジ１ａ近傍から該壁最下部である受けアングル５近傍まで、縦アングル４を設ける請求項３の発明は、壁パネル６を建て込み後、右側のフラットバー１２ａを設置する施工手順を採用することができ、施工スピードの上でも、有利である。
【００５２】
更に、いずれの施工手順を踏んでも、図２に示す、水平梁１の上フランジ１ａ近傍から、該壁最下部である受けアングル５近傍まで縦アングル４を通す発明は、図３に示す、フラットバー１２を該壁パネル６の最上部から最下部まで通して設置した場合と比較して、該壁パネル６の最下部に設置される受けアングル５を、面外方向にも面内方向にも、より確実に固定でき強度的にも有利である。
【００５３】
【００５４】
【００５５】
【００５６】
【００５７】
【００５８】
【発明の実施の形態】
図により本発明に係る壁パネルの取付構造の一例としてベランダに取り付けられる壁パネルの取付構造の実施形態を３例示して具体的に説明する。
【００５９】
【実施例１】
図１は、本発明に係る１つ目の実施例に係わるものであり、壁パネルの取付構造を示す斜視説明図および専用金物の斜視図である。水平梁１の上フランジ１ａの上面に断面Ｌ字型で長尺状の定規アングル２の水平片２ａが固定され、前記水平梁１の下フランジ１ｂの下面に所定の幅を有する断面Ｌ字型のアングルピース３の水平片３ａが固定される。
【００６０】
この時、定規アングル２の起立片２ｂ及びアングルピース３の起立片３ｂは面一に配置され、両起立片２ｂ、３ｂに断面Ｌ字型で所定の長さを有する縦下地アングル４の取付片４ａが面接触して当接して溶接等により固定され、該縦下地アングル４が上下方向に配置される。また、縦下地アングル４の下端部には、断面Ｌ字型で長尺状の受けアングル５が定規アングル２に平行して配置して溶接等により固定され、受けアングル５の水平片５ａが壁パネル６の下端面を支持するようになっている。
【００６１】
前記受けアングル５の起立片５ｂおよび前記定規アングル２の起立片２ｂの壁パネル６側の面は、縦下地アングル４の取付片４ａの水平梁１側の面とは面一になるように配置され、水平梁１に対する定規アングル２の取付け位置を予定される壁パネル６の裏面（室内側面）の位置よりも縦下地アングル４の取付片４ａの板厚分（例えば、６ｍｍ）だけ、室内側に控えて配置される。
【００６２】
このように、受けアングル５及び定規アングル２と、壁パネル６の間には、縦下地アングル４の取付片４ａの板厚分だけの隙間があるため、スペーサーを兼ねた取付金物９をその隙間に設置している。さらに、取付金物９だけでは、壁パネルの位置決めが難しいときには、適宜、隙間に対応した厚さの図示しないスペーサーを受けアングル５の起立片５ｂおよび定規アングル２の起立片２ｂの前面に設置する。
【００６３】
また、縦下地アングル４の上端部を定規アングル２の起立片２ｂよりも上部まで通して立ち上げ、該縦下地アングル４の取付片４ａを、定規アングル２の起立片２ｂ及びアングルピース３の起立片３ｂは面接触で当接させて溶接等により固定するように構成したことで、壁パネル６の建て込み前に、縦下地アングル４の取付片４ａを定規アングル２及びアングルピース３の起立片２ｂ、３ｂに面接触させて押し当てて縦下地アングル４の位置決めが容易に出来ると共に、縦下地アングル４の取付片４ａが定規アングル２及びアングルピース３の起立片２ｂ、３ｂに面で接しているため、溶接により固定する場合には、正面から溶接状態を黙視確認しながら十分な溶接ビード長を確保することが出来、溶接作業も縦向き溶接或いは下向き溶接が可能となり、前述の第２の従来例のように上向き溶接したものと比較して溶接の品質及び信頼性を確保することが出来る。
【００６４】
一方、壁パネル６の内部には、水平梁１の上フランジ１ａに設置された定規アングル２に対応した高さ位置と、受けアングル５に対応した高さ位置に、該壁パネル６の幅方向に配置されたアンカー鋼棒７ａ，７ｂが埋設され、更に、前記アンカー鋼棒７ａ，７ｂに夫々係合するＯボルト８ａ，８ｂが壁パネル６の裏面から突出している。
【００６５】
また、壁パネル６相互の縦目地には、定規アングル２の高さ位置近傍から、壁パネル６の上端部まで、フラットバー１２が壁パネル６の厚みの中央に収まるように通してあり、その上端部を断面略コの字状のキャップ１３のほぼ中央に設けたスリット１３ａに差し込んであり、上方向から溶接固定してある。そのため、壁パネル６に作用する荷重、特に、上端部に作用する荷重は、前記アンカー鋼棒７ａ，７ｂ、Ｏボルト８ａ，８ｂ、取付金物９、１０を介して、定規アングル２から水平梁１に伝達するだけではなく、断面略コの字状のキャップ１３、フラットバー１２、縦下地アングル４を介して、定規アングル２から水平梁１に、荷重を分担して有効に伝達することが出来る。この荷重分担分は、前記した試験結果より分かるように、フラットバー１２の断面性能以上に有効に荷重負担することができる。逆に言えば、フラットバー１２が、断面性能以上に有効に加重負担するため、取付部に対応する壁パネル６の内部には、高い強度のある埋込金物をあらかじめ壁パネル６の内部の図示しない補強鉄筋に溶接などで固定しておく必要もない。また、アンカー鋼棒７ａ，７ｂ、Ｏボルト８ａ，８ｂなどは、すべて施工現場で設置できるため、取付部位置の現場誤差による寸法のズレに対して、取付部位置の調整が可能である。
【００６６】
さらに、断面略コの字状のキャップ１３は、単に、上からフラットバー１３に被せ、上から溶接するだけなので、作業が簡単であり、溶接による取付も確実にすることが出来るため、信頼性が高い。また、このような単純な構成でありながら、断面略コの字状のキャップ１３には壁パネル６の表裏面に当接するツバ部１３ｂを有しているため、隣接する相互の壁パネル６を面外に拘束し、一体化することが可能である。そのため、壁パネル６の一部分に大きな荷重を受けた場合にも、その荷重をフラットバーに伝えるのみならず、隣接する相互の壁パネル６にも有効に荷重分担することが可能である。
【００６７】
さらに、表裏面に当接するツバ部１３ｂは、壁パネル６に反りがあった場合にも、相互の面を合わせ平滑に仕上げる効果も同時に達成できる。また、フラットバー１２の取付位置は、壁パネル６の厚みのほぼ中央であり、壁パネル６の裏面にフラットバー１２が露出することもない。そのため、ベランダ床の防水仕上げを行う際に、防水端部の納めのために、直接、壁パネル裏面に、深さ１０〜２０ｍｍ程度の溝掘りを行うことが可能である。よって、裏側の仕上げ工事を省力化できると共に、仕上げ厚も薄くすることが出来、ひいては、ベランダ壁の上部に納まる図示しない笠木の幅寸法も小さいものに出来る。
【００６８】
縦下地アングル４へのフラットバー１２の溶接は、壁パネル６取付の前に行うのが、溶接位置と長さを確実にとることが出来、望ましい。壁パネル６の建て込み前にフラットバー１２ａを取り付けても、壁パネル６相互の縦目地に相応の隙間を設けてあれば、壁パネル６の長辺側面に切削加工などを行わなくとも、フラットバー１２ａが、さほど邪魔になることなく壁パネル６を建て込むことが可能である。
【００６９】
さらに、この実施例では、壁パネル６の縦目地間に設置される金物は、すべて汎用部材であるフラットバー１２と縦下地アングル４であるため、施工現場に、定尺長さ（例えば、６ｍ）の金物を搬入し、現場の寸法に応じて、適宜、切断して用いることが可能であり、トータルで金物のロスを少なくすることが可能であり、かつ、簡単に垂直部材を構成することができコストダウンも可能である。
【００７０】
【実施例２】
図２は本発明に係る２つ目の実施例であり、壁パネルの取付構造を示す斜視説明図および専用金物の斜視図である。この実施例では、定規アングル２の起立片２ｂと受けアングル５の起立片５ｂの壁パネル６の裏面側の面が、直接壁パネル６の裏面に面接触して、壁パネル６の位置決めができるように取り付けてある。また、縦下地アングル４の壁パネル６の裏面に平行な取付片４ａが、壁パネル６に接触する部分の近傍６ａを該取付片４ａの厚さと同じかやや深く切削してある。そのため、実施例１にあるスペーサーを兼ねた取付金物９や前記した図示しないスペーサーを用いることなく、壁パネルを、定規アングル２および受けアングル５に直接当てて、位置決めをすることが可能である。
【００７１】
また、この実施例では、隣接する壁パネル６相互の縦目地間に隙間を設けていない仕様である。そのため、縦目地間に設置された縦下地アングル４の片４ｂとフラットバー１２（１２ａ）が当たる壁パネルの長辺側面位置を、それぞれ、６ｃ，６ｂのように加工し、壁パネル６の建て込み前にフラットバー１２ａが取り付いていても、施工が容易なようにしてある。フラットバー１２ａを壁パネル６の建て込み後に行うことも可能である。
【００７２】
【実施例３】
図３は、本発明に係る３つ目の実施例であり、壁パネルの取付構造を示す斜視説明図および専用金物の斜視図である。この実施例では、フラットバー１２を壁パネル６の最下部から最上部まで通した仕様である。そのため、縦下地アングル４は用いず、そのかわりに、取付金具１４ａ、１４ｂが用いられている。
【００７３】
この方法は、縦目地間の下地金物がフラットバー１２のみになり、単純化できるが、受けアングル５の設置のために、壁パネル６取付前に必ずフラットバー１２を取付なくてはならない。また、取付金具１４ａ、１４ｂを一本の縦目地につき、３カ所取り付けるのは、縦下地アングル４を取り付けるより手間である。この実施例３の実施例２にない長所は、上記の手間があるかわりに、６ａの加工を行わなくとも、壁パネル６の裏面を直接定規アングル２の起立面２ｂと受けアングル５の起立面５ｂに当て、位置決めが出来ることである。ただし、作業性などトータルで見ると、６ａの加工を行う実施例２の方法のほうが、効率的であり、かつ、強度的にも確実に受けアングル５を支持できる。
【００７４】
【発明の効果】
本発明の第１の発明は、壁パネルの縦目地間に通す垂直部材を、汎用部材であるフラットバーを用いるため、部材のロスを少なく、かつ簡単に構成でき、コストダウンも可能である。また、壁パネルの厚みの中にフラットバーが収まっているため、内側の仕上げ工事を省力化することが可能である。更に、フラットバーの上端部に断面略コの字型のキャップが隣接する相互のパネルに跨って固定されているため、集中荷重を左右の壁パネルに分散させる効果をもつと同時に、フラットバーにも有効に荷重伝達でき、取付部に作用する荷重を低減出来る効果を持っており、かつ、壁パネルに反りなどがあった場合にも、面精度を左右のパネル間で確保するという効果も発揮する。更には、そのキャップをフラットバー以外の壁パネルの上部小口面に取り付ける作業等の必要のない簡単な施工である。
【００７５】
【００７６】
しかも、略コの字状キャップのスリット状の穴などを設け、該キャップを被せるときに、フラットバーの上部先端に差し込めるように工夫しているため、上部からの被せる工程と上部からの溶接という単純な作業によって、該キャップと該フラットバーの一体化を成し遂げた構法である。
【００７７】
本発明の第２の発明では、前記略コの字状キャップにあって、スリット状の穴などの加工を不要とした金物１個あたりの加工手間を落とすことが可能な取付構法であり、１カ所の縦目地に２個の金物を用いることによって可能となった。一般部での効果以上に、コーナー部分など、縦目地を挟んで壁パネルが平面的に角度をもっている場合に特に有効であり、特殊形状の略コの字状キャップを用意する必要がない効果をもつ。
【図面の簡単な説明】
【図１】実施例１の壁パネルの取付構造および専用金物を示す斜視図である。
【図２】実施例２の壁パネルの取付構造および専用金物を示す斜視図である。
【図３】実施例３の壁パネルの取付構造および専用金物を示す斜視図である。
【図４】本発明の第２の発明の壁パネルの取付構造を示す斜視図である。
【図５】フラットバーと断面略コの字状のキャップがない場合とある場合の効果を確認するベランダ上部に水平力を裏面側から作用させた載荷試験の状況説明図
【図６】第１の従来例を示す図である。
【図７】第２の従来例を示す図である。
【図８】第２の従来例を示す図である。
【図９】第３の従来例を示す図である。
【符号の説明】
１ 水平梁
１ａ 上フランジ
１ｂ 下フランジ
２ 定規アングル
２ａ 水平片
２ｂ 起立片
３ アングルピース
３ａ 水平片
３ｂ 起立片
４ 縦下地アングル
４ａ 取付片
４ｂ 片
５ 受けアングル
５ａ 水平片
５ｂ 起立片
６ 壁パネル
６ａ，６ｂ，６ｃ 壁パネルの切削加工部分
７ａ，７ｂ アンカー鋼棒
８ａ，８ｂ Ｏボルト
９ スペーサーを兼ねた取付金物
１０ 取付金物
１１ ナット
１２ フラットバー
１２ａ 壁パネル取付前に固定されたフラットバー
１３ 断面略コの字型のキャップ
１３ａ スリット
１３ｂ ツバ部
１４ａ 取付金物
１４ｂ 取付金物
【図１】
0003734571.tif 000002
【図２】
0003734571.tif 000003
【図３】
0003734571.tif 000004
【図４】
0003734571.tif 000005
【図５】
0003734571.tif 000006
【図６】
0003734571.tif 000007
【図７】
0003734571.tif 000008
【図８】
0003734571.tif 000009
【図９】
0003734571.tif 000010